(57)【要約】【課題】  柔らかく円筒形でないパウチ容器を自転公転式の攪拌装置にセットでき、内容物を攪拌可能な攪拌装置用容器及びこれを備えた攪拌装置を提供すること。【解決手段】  自転公転式攪拌装置に用いる容器であって、軸線Ｃが自転軸線と同じに設定されて自転体に取り付けられると共にパウチ容器２を収納可能な有底の筒状本体３と、筒状本体の内周面に設けられパウチ容器の両端を支持する少なくとも一対の端部支持部４とを備え、パウチ容器が、内容物を収容するパウチ本体２ａと、パウチ本体の両端に設けられた一対の支柱部２ｂと、パウチ本体の上部に設けられた飲み口部２ｃとを備え、端部支持部が、互いに半径方向内方に突出し、嵌め込まれる支柱部を挟んで支持可能である。【選択図】  図１
0003230970.tif 000002
【実用新案登録請求の範囲】
【請求項１】
公転軸線を中心に回転可能な公転体と、前記公転体に保持されて自転軸線を中心に回転可能な自転体と、前記公転体と前記自転体とを回転駆動する駆動機構とを備えた攪拌装置に用いる容器であって、
軸線が前記自転軸線と同じに設定されて前記自転体に取り付けられると共にパウチ容器を収納可能な有底の筒状本体と、
前記筒状本体の内周面に設けられ前記パウチ容器の両端を支持する少なくとも一対の端部支持部とを備え、
前記パウチ容器が、内容物を収容するパウチ本体と、
前記パウチ本体の両端に設けられ前記パウチ本体よりも硬く上下方向に延在する一対の支柱部と、
前記パウチ本体の上部に設けられた飲み口部とを備え、
前記端部支持部が、互いに半径方向内方に突出し、嵌め込まれる前記支柱部を挟んで支持可能であることを特徴とする攪拌装置用容器。
【請求項２】
請求項１に記載の攪拌装置用容器において、
前記筒状本体の底面に設けられ前記パウチ容器の底部を支持する底部支持部を備えていることを特徴とする攪拌装置用容器。
【請求項３】
請求項２に記載の攪拌装置用容器において、
前記底部支持部が、前記パウチ容器の底部の両端部内に挿入可能であると共に上方に向けて互いの間隔が漸次拡がって突出した一対の底部突出部を備えていることを特徴とする攪拌装置用容器。
【請求項４】
請求項２又は３に記載の攪拌装置用容器において、
前記底部支持部が、一対の前記支柱部の下端を支持する一対の支柱下端支持部を備え、
前記支柱下端支持部が、互いに上方に突出しており、嵌め込まれる前記支柱部の下端を挟んで支持可能であることを特徴とする攪拌装置用容器。
【請求項５】
請求項１から４のいずれか一項に記載の攪拌装置用容器において、
前記端部支持部が、軸線方向に沿って互いに間隔を空けて前記筒状本体の内周面に複数対設けられていることを特徴とする攪拌装置用容器。
【請求項６】
請求項１から５のいずれか一項に記載の攪拌装置用容器において、
前記筒状本体の上部開口部に取り付け可能な蓋部材を備え、
前記蓋部材が、前記飲み口部が挿入可能な飲み口部用孔部を有していることを特徴とする攪拌装置用容器。
【請求項７】
公転軸線を中心に回転可能な公転体と、
前記公転体に保持されて自転軸線を中心に回転可能な自転体と、
前記公転体と前記自転体とを回転駆動する駆動機構と、
請求項１から６のいずれか一項に記載の攪拌装置用容器とを備えていることを特徴とする攪拌装置。
【考案の詳細な説明】
【技術分野】
【０００１】
本考案は、パウチ容器の内容物の攪拌などに好適な攪拌装置用容器及びこれを備えた攪拌装置に関する。
【背景技術】
【０００２】
現在、薬品，食品，化粧品などの幅広い分野で容器内の内容物を攪拌する装置として自転公転式の攪拌装置が用いられている（例えば、特許文献１参照）。
この自転公転式の攪拌装置は、攪拌羽根等を用いずに混和が行えるため、混和後に容器を開封せずに、そのまま顧客に渡せるなど、ディスポーザル用途に大きなメリットがある。
【先行技術文献】
【特許文献】
【０００３】
【特許文献１】特開２０１３−１８８６５７号公報
【考案の概要】
【考案が解決しようとする課題】
【０００４】
上記従来の技術において、以下の課題が残されている。
すなわち、従来、自転公転攪拌装置で攪拌を行う場合、回転運動に耐えるために十分な強度の容器が必要であり、金属やプラスティックなどの硬質な素材で形成された容器に限られていた。このため、柔軟な容器であると共に円筒形でないパウチ容器を自転公転攪拌装置に取り付けて内容物の攪拌を行うことが困難であった。
【０００５】
本考案は、上記従来の問題に鑑みてなされたもので、柔らかく円筒形でないパウチ容器を自転公転式の攪拌装置にセットでき、内容物を攪拌可能な攪拌装置用容器及びこれを備えた攪拌装置を提供することを目的とする。
【課題を解決するための手段】
【０００６】
本考案は、前記課題を解決するために以下の構成を採用した。すなわち、第１の考案に係る攪拌装置用容器は、公転軸線を中心に回転可能な公転体と、前記公転体に保持されて自転軸線を中心に回転可能な自転体と、前記公転体と前記自転体とを回転駆動する駆動機構とを備えた攪拌装置に用いる容器であって、軸線が前記自転軸線と同じに設定されて前記自転体に取り付けられると共にパウチ容器を収納可能な有底の筒状本体と、前記筒状本体の内周面に設けられ前記パウチ容器の両端を支持する少なくとも一対の端部支持部とを備え、前記パウチ容器が、内容物を収容するパウチ本体と、前記パウチ本体の両端に設けられ前記パウチ本体よりも硬く上下方向に延在する一対の支柱部と、前記パウチ本体の上部に設けられた飲み口部とを備え、前記端部支持部が、互いに半径方向内方に突出し、嵌め込まれる前記支柱部を挟んで支持可能であることを特徴とする。
【０００７】
この攪拌装置用容器では、端部支持部が、互いに半径方向内方に突出し、嵌め込まれる支柱部を挟んで支持可能であるので、両端の支柱部（ピラー）を端部支持部で支持することで、円筒形でないパウチ容器を立てた状態で安定かつ容易に自転公転式の攪拌装置にセットすることができると共に、回転時に柔らかく円筒形でないパウチ容器を保持することができる。
【０００８】
第２の考案に係る攪拌装置用容器は、第１の考案において、前記筒状本体の底面に設けられ前記パウチ容器の底部を支持する底部支持部を備えていることを特徴とする。
すなわち、この攪拌装置用容器では、筒状本体の底面に設けられパウチ容器の底部を支持する底部支持部を備えているので、パウチ容器の底部が安定して支持される。
【０００９】
第３の考案に係る攪拌装置用容器は、第２の考案において、前記底部支持部が、前記パウチ容器の底部の両端部内に挿入可能であると共に上方に向けて互いの間隔が漸次拡がって突出した一対の底部突出部を備えていることを特徴とする。
すなわち、この攪拌装置用容器では、底部支持部が、パウチ容器の底部の両端部内に挿入可能であると共に上方に向けて互いの間隔が漸次拡がって突出した一対の底部突出部を備えているので、互いの間隔が漸次拡がった一対の底部突出部により自転公転時にパウチ容器内下部の内容物が上方へと撥ね返されることで、パウチ容器内で攪拌力が上部まで及び易くなる。特に、縦長のパウチ容器であっても自転公転させた際に、上部まで攪拌効果が及んで、良好な攪拌を行うことができる。
【００１０】
第４の考案に係る攪拌装置用容器は、第２又は第３の考案において、前記底部支持部が、一対の前記支柱部の下端を支持する一対の支柱下端支持部を備え、前記支柱下端支持部が、互いに上方に突出しており、嵌め込まれる前記支柱部の下端を挟んで支持可能であることを特徴とする。
すなわち、この攪拌装置用容器では、支柱下端支持部が、互いに上方に突出しており、嵌め込まれる支柱部の下端を挟んで支持可能であるので、一対の支柱下端支持部で一対の支柱部の下端も支持することで、パウチ容器の底部がより安定に支持される。
【００１１】
第５の考案に係る攪拌装置用容器は、第１から第４の発明のいずれかにおいて、前記端部支持部が、軸線方向に沿って互いに間隔を空けて前記筒状本体の内周面に複数対設けられていることを特徴とする。
すなわち、この攪拌装置用容器では、端部支持部が、軸線方向に沿って互いに間隔を空けて筒状本体の内周面に複数対設けられているので、軸線方向に沿って複数箇所で支柱部を支持でき、より安定してパウチ容器を立てた状態で支持することができる。
【００１２】
第６の考案に係る攪拌装置用容器は、第１から第５の発明のいずれかにおいて、前記筒状本体の上部開口部に取り付け可能な蓋部材を備え、前記蓋部材が、前記飲み口部が挿入可能な飲み口部用孔部を有していることを特徴とする。
すなわち、この攪拌装置用容器では、蓋部材が、飲み口部が挿入可能な飲み口部用孔部を有しているので、飲み口部を飲み口部用孔部から上部に突出させた状態でパウチ容器を収納することができると共に、飲み口部を飲み口部用孔部で支持することができる。
【００１３】
第７の考案に係る攪拌装置は、公転軸線を中心に回転可能な公転体と、前記公転体に保持されて自転軸線を中心に回転可能な自転体と、前記公転体と前記自転体とを回転駆動する駆動機構と、第１から第６の発明のいずれかの攪拌装置用容器とを備えていることを特徴とする。
すなわち、この攪拌装置では、第１から第６の発明のいずれかの攪拌装置用容器を備えているので、柔らかく円筒状でないパウチ容器内の内容物を効率的に攪拌することができる。
【考案の効果】
【００１４】
本考案によれば、以下の効果を奏する。
すなわち、本考案の攪拌装置用容器及びこれを備えた攪拌装置によれば、端部支持部が、互いに半径方向内方に突出し、嵌め込まれる支柱部を挟んで支持可能であるので、両端の支柱部を一対の端部支持部で支持することで、円筒形でないパウチ容器を立てた状態で安定かつ容易に自転公転式の攪拌装置にセットすることができる。
さらに、パウチ容器の底部を支持する底部支持部を備えると共に、底部支持部に、パウチ容器の底部の両端部内に挿入可能であると共に上方に向けて互いの間隔が漸次拡がって突出した一対の底部突出部を備えることで、パウチ容器内で攪拌力が上部まで及び易くなる。
したがって、本考案の攪拌装置用容器及びこれを備えた攪拌装置では、柔らかく円筒状でないパウチ容器の内容物を良好に攪拌することができる。
【図面の簡単な説明】
【００１５】
【図１】本考案に係る攪拌装置用容器及びこれを備えた攪拌装置の一実施形態において、内部にパウチ容器をセットした攪拌装置用容器を示す正面図である。
【図２】本実施形態において、攪拌装置用容器を示す正面図（ａ）及び内容物を入れた状態のパウチ容器を示す正面図（ｂ）である。
【図３】本実施形態において、蓋部材を示す平面図（ａ），側面図（ｂ）及び底面図（ｃ）である。
【図４】本実施形態において、蓋部材及び底部支持部を外した攪拌装置用容器を示す平面図（ａ）及び正面図（ｂ）である。
【図５】図４のＡ−Ａ線矢視断面図（ａ），図４のＢ−Ｂ線矢視断面図（ｂ）及び底部支持部を外した攪拌装置用容器を示す底面図（ｃ）である。
【図６】本実施形態において、底部支持部を平面図（ａ）及び正面図（ｂ）である。
【図７】本実施形態において、攪拌装置を示す全体断面図である。
【図８】本実施形態において、底部支持部を示す写真（ａ）及び内容物を収容したパウチ容器の下部に底部支持部を装着した状態を示す写真（ｂ）である。
【考案を実施するための形態】
【００１６】
以下、本考案における攪拌装置用容器及びこれを備えた攪拌装置の一実施形態を、図１から図８に基づいて説明する。なお、以下の説明に用いる図面では、各部材を認識可能又は認識容易な大きさとするために必要に応じて縮尺を適宜変更している部分がある。
【００１７】
本実施形態における攪拌装置用容器１は、図７に示すように、公転軸線Ｌ１を中心に回転可能な公転体１０２と、公転体１０２に保持されて自転軸線Ｌ２を中心に回転可能な自転体１０３と、公転体１０２と自転体１０３とを回転駆動する駆動機構１０４とを備えた攪拌装置１００に用いる容器である。
【００１８】
本実施形態における攪拌装置用容器１は、図１から図６に示すように、軸線Ｃが自転軸線と同じに設定されて自転体１０３に取り付けられると共にパウチ容器２を収納可能な有底の筒状本体３と、筒状本体３の内周面に設けられパウチ容器２の両端を支持する少なくとも一対の端部支持部４とを備えている。
【００１９】
また、上記端部支持部４は、軸線方向に沿って互いに間隔を空けて筒状本体３の内周面に複数対設けられている。
なお、本実施形態では、上下に間隔を空けて２箇所に端部支持部４を設けている。
また、対となる二つの端部支持部４は、互いに周方向において１８０°反対側に対向状態で設けられている。
【００２０】
上記パウチ容器２は、図２の（ｂ）に示すように、内容物を収容するパウチ本体２ａと、パウチ本体２ａの両端に設けられパウチ本体２ａよりも硬く上下方向に延在する一対の支柱部２ｂ（ピラー）と、パウチ本体２ａの上部に設けられた飲み口部２ｃ（スパウト）とを備えている。このパウチ容器２としては、例えばスパウトパックの両端にピラーがあり、自立可能な押尾産業株式会社製のスパウトピラー等が採用可能である。
【００２１】
上記端部支持部４は、互いに半径方向内方に突出し、嵌め込まれる支柱部２ｂを挟んで支持可能である。
すなわち、端部支持部４は、支柱部２ｂの厚さに対応して互いに間隔を空けて周方向に設置されていると共に半径方向内方に突出した一対の内周面突出部４ａを備え、一対の内周面突出部４ａ間に支柱部２ｂが嵌め込まれて支持可能されている。
【００２２】
また、本実施形態の攪拌装置用容器１は、図１及び図８に示すように、上記筒状本体３の底面に設けられパウチ容器２の底部を支持する底部支持部５を備えている。
上記底部支持部５は、図１及び図６に示すように、パウチ容器２の底部の両端部（一対の耳部２ｄ）内に下方から挿入可能であると共に、上方に向けて互いの間隔が漸次拡がって突出した一対の底部突出部５ａを備えている。
【００２３】
すなわち、上記一対の底部突出部５ａは、図８の（ａ）に示すように、パウチ容器２の底部において熱圧着でシーリングされた部分Ｓに対応して上面が凹曲面とされ、シーリングされた部分Ｓより下部の一対の耳部２ｄ内に挿入可能に両側に開いて突出した羽形状とされている。なお、耳部２ｂは、下方に開口した袋状となっている。
【００２４】
また、底部支持部５は、一対の支柱部２ｂの下端を支持する一対の支柱下端支持部５ｂを備えている。
底部支持部５は、例えばＰＯＮ（ポリアセタール）等の樹脂又は金属等の硬質な材料で形成されている。
【００２５】
なお、本実施形態の底部支持部５は、図１及び図８に示すように、筒状本体３の下部に取り付けているが、筒状本体３の底部と一体で形成してもよい。
本実施形態では、筒状本体３下部に形成された下部貫通孔３ｂに一対の底部突出部５ａ及び一対の支柱下端支持部５ｂを下方から挿通させた状態で底部支持部５を筒状本体３の下部にネジ止めしている。
【００２６】
上記支柱下端支持部５ｂは、互いに上方に突出しており、嵌め込まれる支柱部２ｂの下端を挟んで支持可能である。
すなわち、支柱下端支持部５ｂは、図６に示すように、半径方向内方に開口して支柱部２ｂの下端が挿入可能な平面視コ字状とされている。
【００２７】
また、本実施形態の攪拌装置用容器１は、筒状本体３の上部開口部に取り付け可能な蓋部材６を備えている。
上記蓋部材６は、図３に示すように、飲み口部２ｃが挿入可能な飲み口部用孔部６ａを有している。
なお、本実施形態の飲み口部用孔部６ａは、飲み口部２ｃの基端形状に対応してほぼ六角形状とされている。
また、蓋部材６には、パウチ本体２ａの上部両端が挿入可能な一対のスリット部６ｂが飲み口部用孔部６ａの両側に形成されている。
【００２８】
上記パウチ容器２を攪拌装置用容器１に取り付ける場合、パウチ容器２を攪拌装置用容器１内に上部開口部から入れると共に、両側の支柱部２ｂを内周面の端部支持部４に嵌め込む。
また、一対の支柱部２ｂの下端を一対の支柱下端支持部５ｂ内に嵌め込むと共に、一対の底部突出部５ａを、図１及び図８の（ｂ）に示すように、パウチ容器２の底部のシーリングされた部分Ｓの下部両側に形成された一対の耳部２ｄ内に挿入する。
【００２９】
さらに、蓋部材６で筒状本体３の上部開口部に取り付ける。このとき、飲み口部用孔部６ａに飲み口部２ｃを挿通させると共に、一対のスリット部６ｂ内にパウチ本体２ａの上端を挿通させる。
この状態で、パウチ容器２の一対の支柱部２ｂは一対の端部支持部４で支持され、またパウチ容器２の底部は一対の支柱下端支持部５ｂ及び一対の底部突出部５ａで支持され、さらにパウチ容器２の上部は、飲み口部用孔部６ａと一対のスリット部６ｂとで支持される。
【００３０】
また、本実施形態における攪拌装置１００は、公転自転ミキサーであって、図７に示すように、公転軸線Ｌ１を中心に回転可能な公転体１０２と、公転体１０２に保持されて自転軸線Ｌ２を中心に回転可能な自転体１０３と、公転体１０２と自転体１０３とを回転駆動する駆動機構１０４と、自転体１０３に取り付けられた上記攪拌装置用容器１とを備えている。
【００３１】
上記駆動機構１０４は、自転体１０３を公転体１０２と同等か公転体１０２よりも高い回転数で回転させるように設定されている。
上記自転軸線Ｌ２は、攪拌装置用容器１の上部を内側に向けて公転軸線Ｌ１に対して傾斜している。すなわち、自転軸線Ｌ２は、垂直軸である内側の公転軸線Ｌ１に向けて角度θで傾いている。
したがって、上記攪拌装置用容器１は、上部を内側に向けて傾斜して取り付けられ、自転軸線Ｌ２の角度θが、公転軸線Ｌ１に対して１５度以下に設定されている。すなわち、筒状部２２の軸線Ｌ３の角度も、公転軸線Ｌ１に対して１５度以下に設定される。
なお、角度θを一般的な自転公転式攪拌装置の角度である４５°に設定しても使用可能である。また、自転体１０３の回転数を公転体１０２よりも低い回転数（例えば、公転体１０２：自転体１０３＝１．０：０．４）に設定しても使用可能である。
【００３２】
駆動機構１０４は、回転軸１１０ａを有する一つの駆動源１１０と、駆動源１１０の回転軸１１０ａに接続され駆動源１１０の回転力を公転体１０２と自転体１０３とに同時に伝達する動力伝達機構１０９とを備えている。
上記駆動源１１０はモータ等であり、回転軸１１０ａには第１プーリー１１０ｂが固定されている。
【００３３】
駆動源１１０は、本体ベース１１１の下面に固定され、回転軸１１０ａが本体ベース１１１に形成された回転軸用孔１１１ａに挿通されて本体ベース１１１の上面側に突出している。
回転ユニットである公転体１０２は、本体ベース１１１に立設された公転軸部１１１ａ回りに回転可能に支持されている。なお、公転軸部１１１ａは、公転軸線Ｌ１と同軸に固定されている。
【００３４】
上記公転体１０２は、半径方向外方に延在した一対の回転アーム１１２と、一対の回転アーム１１２の下部に固定された公転用の第２プーリー１１２ａとを備えている。
また、第１プーリー１１０ｂと第２プーリー１１２ａとには、公転用ベルト１１３が巻回され、駆動源１１０の駆動力が第１プーリー１１０ｂから公転用ベルト１１３を介して第２プーリー１１２ａに伝達され、公転体１０２が回転駆動される。すなわち、第１プーリー１１０ｂ、公転用ベルト１１３、第２プーリー１１２ａは、動力伝達機構１０９の一部を構成している。
【００３５】
回転アーム１２の先端部には、自転軸線Ｌ２と同軸の自転軸部１１４とが立設され、自転軸部１１４に自転体３が回転可能に設けられている。
上記自転体１０３は、自転軸部１１４を中心に自転用ベアリング１１５を介して回転可能な容器ホルダＨと、容器ホルダＨの下部外周部に自転軸線Ｌ２を中心にして設けられた自転用歯車１１６とを備えている。
【００３６】
なお、自転用ベアリング１１５は、自転用歯車１１６の内部に自転軸部１１４との間に設けられている。すなわち、自転用ベアリング１１５を介して自転用歯車１１６及び容器ホルダＨが自転軸部１１４に対して回転可能に支持されている。
自転軸線Ｌ２と同軸の自転軸部１１４は、公転軸線Ｌ１に対して所定の角度で内側に向けて１５度以下で傾斜している。
上記容器ホルダＨは、硬質材料で有底筒状に形成され、内部に上記攪拌装置用容器１が設置可能になっている。
なお、この容器ホルダＨの代わりに、自転用ベアリング１１５を介して攪拌装置用容器１を回転可能に直接取り付けても構わない。
【００３７】
上記公転軸部１１１ａは、第２プーリー１１２ａの中央に形成された第１公転軸用ベアリング１１２ｂと、回転アーム１１２の中央に形成された第２公転軸用ベアリング１１２ｃとに支持されて、上部が回転アーム１１２の上方に突出している。
また、公転軸部１１１ａの先端部には、自転用マイタギア１１７が固定され、外周部に形成された歯部が一対の自転用歯車１１６にそれぞれ噛み合っている。すなわち、回転アーム１１２が回転すると、自転用マイタギア１１７に噛み合った自転用歯車１１６が回転し、自転体１０２が自転する。したがって、自転用ベアリング１１５及び自転用マイタギア１１７は、動力伝達機構１０９の一部を構成している。
【００３８】
このように本実施形態の攪拌装置用容器１では、端部支持部４が、互いに半径方向内方に突出し、嵌め込まれる支柱部２ｂを挟んで支持可能であるので、両端の支柱部２ｂを端部支持部４で支持することで、円筒形でないパウチ容器２を立てた状態で安定かつ容易に自転公転式の攪拌装置１００にセットすることができると共に、回転時に柔らかく円筒形でないパウチ容器２を保持することができる。
【００３９】
また、筒状本体３の底面に設けられパウチ容器２の底部を支持する底部支持部５を備えているので、パウチ容器２の底部が安定して支持される。
そして、底部支持部５が、パウチ容器２の底部の両端部（耳部２ｄ）内に挿入可能であると共に上方に向けて互いの間隔が漸次拡がって突出した一対の底部突出部５ａを備えているので、互いの間隔が漸次拡がった一対の底部突出部５ａにより自転公転時にパウチ容器２内下部の内容物が上方へと撥ね返されることで、パウチ容器２内で攪拌力が上部まで及び易くなる。特に、縦長のパウチ容器２であっても自転公転させた際に、上部まで攪拌効果が及んで、良好な攪拌を行うことができる。
【００４０】
また、支柱下端支持部５ｂが、互いに上方に突出しており、嵌め込まれる支柱部２ｂの下端を挟んで支持可能であるので、一対の支柱下端支持部５ｂで一対の支柱部２ｂの下端も支持することで、パウチ容器２の底部がより安定に支持される。
また、端部支持部４が、軸線方向に沿って互いに間隔を空けて筒状本体３の内周面に複数対設けられているので、軸線方向に沿って複数箇所で支柱部２ｂを支持でき、より安定してパウチ容器２を立てた状態で支持することができる。
【００４１】
さらに、蓋部材６が、飲み口部２ｃが挿入可能な飲み口部用孔部６ａを有しているので、飲み口部２ｃを飲み口部用孔部６ａから上部に突出させた状態でパウチ容器２を収納することができると共に、飲み口部２ｃを飲み口部用孔部６ａで支持することができる。
したがって、本実施形態の攪拌装置１００では、上記攪拌装置用容器１を備えているので、柔らかく円筒状でないパウチ容器２内の内容物を効率的に攪拌することができる。
【００４２】
なお、本考案は上記実施形態に限定されるものではなく、本考案の趣旨を逸脱しない範囲において種々の変更を加えることが可能である。
例えば、上記実施形態では、端部支持部が支柱部を局所的に挟んで支持しているが、支柱部の延在方向に沿ったレール状の長い端部支持部により支柱部を長い範囲で挟んで支持しても構わない。
【符号の説明】
【００４３】
１…攪拌装置用容器、２…パウチ容器、２ａ…パウチ本体、２ｂ…支柱部、２ｃ…飲み口部、３…筒状本体、４…端部支持部、５…底部支持部、５ａ…底部突出部、５ｂ…支柱下端支持部、６…蓋部材、６ａ…飲み口部用孔部、１００…攪拌装置、１０２…公転体、１０３…自転体、１０４…駆動機構、Ｃ…軸線、Ｌ１…公転軸線、Ｌ２…自転軸線
【図１】
0003230970.tif 000003
【図２】
0003230970.tif 000004
【図３】
0003230970.tif 000005
【図４】
0003230970.tif 000006
【図５】
0003230970.tif 000007
【図６】
0003230970.tif 000008
【図７】
0003230970.tif 000009
【図８】
0003230970.tif 000010